(57)【特許請求の範囲】
【請求項１】
装置本体の最上部に、倒Ｕの字状の自動原稿搬送ユニットを配設し、該自動原稿搬送ユニットを原稿搬送カバーにて覆い、該原稿搬送カバーの下部を原稿読取り部のカバーとした画像記録装置において、該原稿搬送カバーの左右一側を左右傾斜面にして記録済用紙搬出トレイとし、該原稿搬送カバーの左右他側の上部に左右傾斜状の原稿供給トレイを、下部に水平状の原稿排出トレイを接続しており、該装置本体の底部上面を、該原稿読取り部のカバー下方にて十分な堆積空間を確保した水平状の用紙手差しトレイとし、該装置本体の底部下方に、複数枚の記録用紙を一枚ずつ供給するための記録用紙供給部を取り付けたことを特徴とする画像記録装置。
【発明の詳細な説明】
【０００１】
【発明の属する技術分野】
本発明は、例えばファクシミリ機能と複写機能を兼備するような、画像読取部及び記録部を備えた画像記録装置に関する。
【０００２】
【従来の技術】
従来、例えばファクシミリ機能と複写機能を兼備するような装置で、原稿を搬送してその画像を読み取る画像読取部と、用紙を搬送してこれに記録する記録部とを備えた画像記録装置は公知となっている。このような装置には、原稿供給トレイ、原稿排出トレイ、記録済用紙排出トレイの各トレイが付設されるが、これらが装置の側部に突出していると、接地スペースが大きくなるという不具合がある。このことから、最近、これらのトレイが側部に突出しないタイプの装置が開発されている。
【０００３】
【発明が解決しようとする課題】
しかし、トレイが側部に突出しないタイプでは、原稿の給紙操作の点から、原稿搬送部を装置上部に配設するので、記録済用紙排出トレイが装置の内部に設けられることが多い。特にファクシミリ機能と複写機能を兼備するタイプでは、このように記録済用紙排出トレイが装置の内部に設けられていると、受信紙（ファクシミリの受信内容を記録した用紙）が排紙されたのに気づかないことが多く、その結果、記録済用紙排出トレイには、受信紙と複写紙（複写内容を記録した用紙）とが混在することとなり、使用者は、この中から記録済用紙が受信紙か複写紙かを確認するという作業を余儀なくされ、非常に面倒である。
【０００４】
また、トレイが側部に突出しないタイプでも、装置内部に手差し用紙の堆積空間までは確保できないので、記録用紙の手差しトレイに関しては、装置の側部に突出できるように開閉（着脱）自在に設けられる。従って、装置周囲に、手差しトレイを装置側部に突出させる分のスペースが必要であり、また、記録用紙の手差し給紙の際には、手差しトレイを開ける操作（或いは装着する操作）が必要となる。更に、このようにして装置側部に突出させて設ける手差しトレイには、あまり多くの用紙を堆積することはできないので、少数の用紙を手差しトレイに供給しては、また補充するという手間も必要とした。
【０００５】
【課題を解決するための手段】
本発明は、以上のような課題を解決すべく、次のような手段を用いるものである。まず、第一に、装置本体の最上部に、倒Ｕの字状の自動原稿搬送ユニットを配設し、該自動原稿搬送ユニットを原稿搬送カバーにて覆い、該原稿搬送カバーの下部を原稿読取り部のカバーとした画像記録装置において、該原稿搬送カバーの左右一側を左右傾斜面にして記録済用紙搬出トレイとし、該原稿搬送カバーの左右他側の上部に左右傾斜状の原稿供給トレイを、下部に水平状の原稿排出トレイを接続しており、該装置本体の底部上面を、該原稿読取り部のカバー下方にて十分な堆積空間を確保した水平状の用紙手差しトレイとし、該装置本体の底部下方に、複数枚の記録用紙を一枚ずつ供給するための記録用紙供給部を取り付ける。
【０００９】
【発明の実施の形態】
本発明の実施の形態を、添付の図面にて説明する。図１は本発明に係る画像記録装置であって、カセットユニットを取り付けた状態の斜視図、図２は同じくカセットユニットを取り外した状態の斜視図、図３は本発明に係る画像記録装置であって、カセットユニットを取り付けた状態の正面断面図、図４は同じくカセットユニットを取り付けない状態の正面断面図、図５はカセットユニットより用紙供給カセットを抜き出した状態の斜視図である。なお、各図において、操作パネル２の取付側を前方（手前側）、その反対側を後方（奥側）としている。
【００１０】
本発明の画像記録装置は、ファクシミリ機能と複写機能を兼備する。装置本体１の前面には、操作パネル２が取り付けられていて、使用者は、操作パネル２の各種キーを操作して、複写や送信操作を行う。装置本体１には、後記の如く記録済用紙排出トレイ３、原稿供給トレイ４、原稿排出トレイ５、及び用紙手差しトレイ６が配設され、また、装置本体１の底部には、図１及び図３の如く、カセットユニット７を取付可能となっているが、原稿及び用紙の搬送方向は、操作パネル２を扱う使用者から見て、平面視で直交する方向となっており、各トレイ３・４・５は側方向き（操作パネル２を扱う者から見れば右側）に配設されているので、操作パネル２や、これを操作する使用者と干渉してしまうことはない。
【００１１】
トレイの配設構造について説明する。装置本体１の最上部に、正面視傾斜状に記録済用紙排出トレイ３が配設されている。最上部に配設されているので、受信紙が排出された場合にも、一目で確認でき、複写紙との混在を回避することができる。
【００１２】
正面視にて、該記録済用紙排出トレイ３は、原稿搬送カバー部１ａの一部を兼ねており、該原稿搬送カバー部１ａ内には、図３及び図４の如く、倒Ｕの字状の原稿搬送経路を形成する自動原稿搬送ユニットＡが内設されている。この原稿搬送カバー部１ａの右外側部において、上方に原稿供給口を、下方に原稿排出口を形成して、該原稿供給口には、正面視傾斜状に原稿供給トレイ４を取り付けている。装置本体１において、原稿搬送カバー部１ａの下方は、画像読取カバー部１ｂとなっていて、該画像読取カバー部１ｂの右外側部には、正面視略水平状に原稿排出トレイ５を取り付けている。該画像読取カバー部１ｂ内は、該原稿搬送カバー部１ａ内に配設した自動原稿搬送ユニットＡの下方に該当し、ここに、光学系画像読取装置よりなる画像読取部Ｂを形成している。
【００１３】
自動原稿搬送ユニットＡと画像読取部Ｂの各構成について、図３及び図４より説明する。自動原稿供給ユニットＡは、原稿供給トレイ３の左端に当たる原稿供給口付近に分離ローラー８・リタードローラー９を配設して、該原稿供給トレイ３に堆積した原稿の最上端の一枚を分離して原稿搬送経路に搬送する。原稿搬送経路中のＵの字曲折部には、搬送ローラー１０が配設されて、原稿供給口より搬入されてきた原稿をＵターンさせる。その下手側には、透明板を配した原稿読取板１３が水平状に配設されており、これを下方より照射すべく、光源１４が配設されている。そして原稿排出口には排紙ローラー１１・１２が配設されていて、原稿排出トレイ５に読取済みの原稿を排出する。
【００１４】
画像読取部Ｂにおいては、前記の原稿読取板１３の下方にて、第一ミラー１５を配設しており、原稿読取板１３上を通過する原稿を光源１４が照射し、その画像が、第一ミラー１５に投影される。第一ミラー１５の反射光は第二ミラー１６に反射され、更に、第三ミラー１７にて反射されて、レンズ１８に投影される。レンズ１８における投影画像は、光電変換器（ＣＣＤ）１９にて電気信号化される。
【００１５】
該画像読取カバー部１ｂの底部は正面視傾斜状であって、その下方にて、水平状に用紙手差しトレイ６が配設されている。用紙手差しトレイ６と、画像読取カバー部１ｂの底部との間には充分な空間を確保でき、従って、この空間を利用して、用紙手差しトレイ６に一度に多くの用紙を堆積させることができ、何度も手差し用紙を補充する手間を解消することができる。また、このように、用紙手差しトレイ６の上方に手差し用紙の堆積空間が確保されているので、用紙手差しトレイ６を開閉構造（或いは着脱構造）とする必要はなく、用紙を手差しする際に一々トレイを開閉（着脱）する手間が省ける。更に、用紙手差しトレイ６が水平状であるのに対して、画像読取カバー部１ｂの底部が、正面視にて、外側上方向きの傾斜状であるので、両者間の空間は外側に向かって開き形状となっており、用紙手差しトレイ６への用紙供給操作がやりやすい。
【００１６】
該用紙手差しトレイ６は、装置本体１の底部の上面に形成されており、該装置本体１の底部の下方には、記録用紙供給部として、図１及び図３の如く、ユニット本体７ｂに対して用紙供給カセット７ａを抜差し自在に収納するカセットユニット７を取り付けることができる。該用紙供給カセット７ａには定格の用紙を大量に収容できるが、本発明の画像記録装置の場合、前記の如く、用紙手差しトレイ６にもかなりの用紙を堆積でき、更に、トレイの開閉（着脱）操作もいらないことから、一度に供給する用紙がある程度の枚数であるならば、カセットユニット７なしで用紙手差しトレイ６のみにしても対応できる。
【００１７】
ここで、カセットユニット７の構造について、図２、図３、及び図５より説明する。用紙供給カセット７ａには、一側端（用紙搬出側）を下方よりバネ付勢され、その反対側端を揺動支点軸として、バネ付勢側を上下揺動自在とした用紙受け板２６が配設されている。一方、ユニット本体７ｂには、用紙供給カセット７ａを収納した場合に用紙押上板２６のバネ付勢側端の上方に配置されるピックアップローラー２７と、その用紙搬出下手側に給紙ローラー２８とが軸支されている。ピックアップローラー２７と給紙ローラー２８との間にはギア機構Ｇが介装されて、該ギア機構Ｇが、カセットユニット７を図１の如く画像記録装置（装置本体１）の底部に装着した場合に、装置本体１内のギア機構と噛合連接され、装置本体１側から給紙ローラー２８、そして、ピックアップローラー２７へと伝動される。
【００１８】
更に、カセットユニット７には、用紙供給カセット７ａからの記録用紙の給紙制御手段として、ピックアップローラー２７の停止手段（電磁ソレノイド等）と給紙の検出手段（センサ）が設けられており、ピックアップローラー２７は、一枚の記録用紙の給紙につき一回転して停止するよう制御される。これら停止手段と給紙検出手段のため、電源コネクタが具備されていて、該カセットユニット７を、図１等の如く、画像記録装置の底部下面に取り付けると、この電源コネクタが、画像記録装置の装置本体１付設のコネクタに自ずと接合するようになっている。
【００１９】
そして、このように画像記録装置の底部にカセットユニット７を取り付けた場合において、用紙供給カセット７ａは、手前側、即ち、操作パネル２配設側と同一側にて抜差しできるものとなる。即ち、操作パネル２にて画像記録装置の操作を行う使用者は、そのままの姿勢で、記録用紙の補充等に際しての用紙供給カセット７の抜差し操作ができることとなる。
【００２０】
以上のように、装置本体１内の右半分には、自動原稿搬送ユニットＡと画像読取部Ｂとが配設され、また、該画像読取部Ｂの下方空間を利用して、手差し用紙の堆積空間を配している。そして、装置本体１内の左半分には、記録部Ｃが形成されている。図３及び図４の如く、用紙手差しトレイ６に通じる用紙供給口には手差し用紙用ピックアップローラー２５が配設されており、カセットユニット７に通じる（カセットユニット７内の給紙ローラー２８に臨む）用紙供給口と合流して、記録済用紙排出トレイ３へと通じる用紙排出口にかけて、上方向きに用紙搬送経路が形成されており、該用紙搬送経路上において、転写ローラー２０及び定着器２１が配設されている。また、レーザーユニット２２が配設されている。
【００２１】
そして、着脱自在にトナーカセット２３と感光体ドラム２４が配設される。該感光体ドラム２４は、転写ローラー２０に圧接するように配設され（詳しくは、転写ローラー２０と感光体ドラム２４との間を用紙が通過する。）、また、トナーカセット２３は、感光体ドラム２４の表面にトナーを付着させるように配設される。用紙への記録について説明すると、前記の光電変換器１９における原稿画像の電気信号か、或いはファクシミリ受信による信号に基づいて、レーザーユニット２２より感光体ドラム２４の表面にレーザー照射され、感光体ドラム２４の表面に静電潜像が形成され、この静電潜像にトナーが付着され、該感光体ドラム２４と転写ローラー２０との間を用紙が通過する際に、感光体ドラム２４上に付着したトナーが用紙に付着する。更に用紙が搬送され、定着器２１を通過する際に加熱されて、付着したトナーが用紙に定着する。こうして、用紙上に記録がなされ、記録済用紙は、記録済用紙排出トレイ３に排出されるのである。
【００２２】
【発明の効果】
本発明は、装置本体の最上部に装置前面に傾斜状に配置される記録済用紙排出トレイと、装置本体の底部に抜差し可能なカセットを収納するカセットユニットと、前記カセットから搬送される記録用紙に記録する記録部とを備えた画像記録装置なので、ファクシミリ受信があって、受信紙（ファクシミリの受信内容を記録した用紙）が装置本体最上部の該記録済用紙排出トレイに排出された時に、これに気づきやすい。また、該トレイにて複写紙（複写内容を記録した用紙）と受信紙とが混在している状態から、複写紙か受信紙かを確認して仕分けする作業もやりやすい。また、該トレイが装置側部より突出しない構造も確保することができ、設置スペースを抑えることができる。
【００２３】
このような効果を有しながら、本発明の画像記録装置は、請求項１記載のように、用紙手差しトレイを配設することで、堆積した手差し用紙を装置側部に突出させることなく、設置スペース上の制約を受ける必要がなく、用紙の手差し供給に際して該用紙手差しトレイを開閉または着脱する必要もない。更に、該手差し用紙の堆積空間が確保され、少量ずつの用紙を補完しながら該用紙手差しトレイ上に供給するという手間が低減される。更に、該用紙手差しトレイへの用紙の供給作業をするために手を差し込む空間も確保でき、操作性も良好である。
【００２４】
さらに、原稿供給トレイ及び原稿排出トレイと、該原稿給紙トレイから該原稿排出トレイへ倒Ｕの字状の原稿搬送経路を搬送される原稿を読み取る原稿読取部を前記装置本体の上部に設けることで、前記の手差し用紙の堆積空間が該原稿読取部の下方空間を利用して確保されることとなる。
【図面の簡単な説明】
【図１】本発明に係る画像記録装置であって、カセットユニットを取り付けた状態の斜視図である。
【図２】同じくカセットユニットを取り外した状態の斜視図である。
【図３】本発明に係る画像記録装置であって、カセットユニットを取り付けた状態の正面断面図である。
【図４】同じくカセットユニットを取り付けない状態の正面断面図である。
【図５】カセットユニットより用紙供給カセットを抜き出した状態の斜視図である。
【符号の説明】
Ａ      自動原稿搬送ユニット
Ｂ      画像読取部
Ｃ      記録部
１      装置本体
１ａ    原稿搬送カバー部
１ｂ    画像読取カバー部
２      操作パネル
３      記録済用紙排出トレイ
４      原稿供給トレイ
５      原稿排出トレイ
６      用紙手差しトレイ
７      カセットユニット
７ａ    用紙供給カセット
【図１】
0003543511.tif 000002
【図２】
0003543511.tif 000003
【図３】
0003543511.tif 000004
【図４】
0003543511.tif 000005
【図５】
0003543511.tif 000006